(57)【要約】      （修正有）【課題】ある程度の通気性を確保しつつ、安価に製造でき、しかも外観に華やかさや美しさをもたらして外観品質の向上を図る。【解決手段】瓶１の口部２の開口３に挿入される挿入部Ｓａを有した瓶用栓Ｓにおいて、植物の杉の葉１０を複数用い、複数の杉の葉１０を、その葉軸１１方向及び基端１２を揃えて集合させて杉の葉１０の集合体１４を形成し、集合体１４の基端部１３を索体２０で結束し、集合体１４の基端部１３を集合体１４の先端部１５側が露出するようにして紙からなる被覆シート３０と保持シート３１で被覆し、また、被覆シート３０を、その中央部に集合体１４の基端１２を位置させ、中央部の外周部を集合体１４の先端部１５側にめくり上げて包持するよう構成し、被覆シート３０で包持した部位を挿入部Ｓａとして形成した。【選択図】図１
0003129468.tif 000002
【実用新案登録請求の範囲】
【請求項１】
瓶の口部の開口に挿入される挿入部を有した瓶用栓において、
植物の葉を複数用い、該複数の葉を、その葉軸方向及び基端を揃えて集合させて植物の葉の集合体を形成し、該集合体の基端部を該集合体の先端側が露出するようにして紙からなる被覆シートで包持し、該被覆シートで包持した部位を挿入部として形成したことを特徴とする瓶用栓。
【請求項２】
上記被覆シートをその中央部に上記集合体の基端を位置させ、該中央部の外周部を該集合体の先端部側にめくり上げて該集合体を包持した構成にしたことを特徴とする請求項１記載の瓶用栓。
【請求項３】
上記集合体の基端部を索体で結束したことを特徴とする請求項１又は２記載の瓶用栓。
【請求項４】
上記集合体の基端部を、上記被覆シートに包持される別の紙からなる保持シートで包持したことを特徴とする請求項１乃至３何れかに記載の瓶用栓。
【請求項５】
上記挿入部の瓶の口部への挿入時に、該瓶の口部に対して該挿入部の抜け止めを行なう抜け止め具を設けたことを特徴とする請求項１乃至４何れかに記載の瓶用栓。
【請求項６】
上記抜け止め具を、針金で構成され瓶の口部の外周に巻回される巻回部と、針金で構成され上記挿入部を貫通し両端側が上記巻回部に係止されて該挿入部を口部に対して押さえる押さえ部とで形成したことを特徴とする請求項５記載の瓶用栓。
【請求項７】
上記被覆シートを少なくとも二枚重ねて用い、少なくとも外側の被覆シートを樹脂混合シートで形成したことを特徴とする請求項１乃至６何れかに記載の瓶用栓。
【請求項８】
上記植物の葉を杉の葉で構成したことを特徴とする請求項１乃至７何れかに記載の瓶用栓。
【考案の詳細な説明】
【技術分野】
【０００１】
本考案は、例えば、日本酒を入れた酒瓶等の瓶の口部の開口に挿入されて封をする瓶用栓に係り、特に、ある程度の通気性を有した瓶用栓に関する。
【背景技術】
【０００２】
一般に、瓶の口部の開口に挿入される瓶用の栓としては、主としてプラスチックなどの合成樹脂，コルクや木材等を使用して形成されている。このような栓は、主に瓶内の液体を外部に漏らさないために使用される。ところで、例えば、日本酒としてどぶろくのような発酵性の液体を収容する瓶にあっては、ガスが発生するので、通気性を有した栓を用い、栓を通してガスを抜くことが望ましい。
【０００３】
従来、この種の通気性を有した栓としては、例えば、特開２００５−４１４８４号公報に掲載されたものが知られている。これは、図７に示すように、瓶の開口に挿入される中栓部１００ａと瓶の開口部を覆う鍔部１０１とを有してなる栓１００であって、この栓１００の底面部１０２から瓶内の気体を外部へ逃がすための導通路１０３と瓶内の気体の膨張による押し上げを防止するための摩擦部１０４とを設けている。この栓１００の中栓部１００ａと鍔部１０１はプラスチックなどの合成樹脂で形成されている。この導通路１０３を通して瓶内部の発生したガスを抜くことができるようになっている。
【０００４】
【特許文献１】特開２００５−４１４８４号公報
【考案の開示】
【考案が解決しようとする課題】
【０００５】
しかしながら、この従来の瓶用栓では、通気性は確保されてはいるが、構造が複雑で製造コストが高くなっているとともに、外観上平凡であり、華やかさや美しさに欠けるという問題があった。
【０００６】
本考案は、このような問題点に鑑みてなされたもので、ある程度の通気性を確保しつつ、安価に製造でき、しかも外観に華やかさや美しさをもたらして外観品質の向上を図った瓶用栓を提供することを目的とする。
【課題を解決するための手段】
【０００７】
このような課題を解決するための本考案の瓶用栓は、瓶の口部の開口に挿入される挿入部を有した瓶用栓において、植物の葉を複数用い、該複数の葉を、その葉軸方向及び基端を揃えて集合させて植物の葉の集合体を形成し、該集合体の基端部を該集合体の先端側が露出するようにして紙からなる被覆シートで包持し、該被覆シートで包持した部位を挿入部として形成した構成とした。
【０００８】
これにより、植物の集合体の基端部を紙からなる被覆シートで包持して挿入部としたので、液体は即座には通さないが気体は通すように形成できる。そのため、挿入部を瓶の口部の開口に挿入した際、挿入部が植物及び紙で形成されているので、挿入部は弾性を有して瓶の口部の開口に挿入されることになり、例えば、瓶を傾けても瓶内の液体が外部に漏れることが抑制され、また、挿入部が植物及び紙で形成されているので、ある程度通気性が確保され、例えば液体が発酵するなどして内部にガスが発生しても外部に逃げることができるようになり、通気性の栓としての役割を果たすことができる。また、植物の葉が被覆シートから突出しているので、華やかで美しい外観になる。更に、植物の葉と紙からなるシートで構成したため、構造が簡単で比較的安価に製造できる。
【０００９】
そして、必要に応じ、上記被覆シートをその中央部に上記集合体の基端を位置させ、該中央部の外周部を該集合体の先端部側にめくり上げて該集合体を包持した構成にした。これにより、被覆シートで集合体を綺麗に包持できるようになるとともに、被覆シートがずれたり取れたりしなくなり、安定して包持できるようになる。また、被覆シートの外周がめくり上がって花びらのごとく瓶の開口から広がり、植物の葉と相俟って、より一層外観品質を向上させることができる。
【００１０】
また、必要に応じ、上記集合体の基端部を索体で結束した構成とした。これにより、集合体がばらける事態を確実に防止できる。
【００１１】
更に、必要に応じ、上記集合体の基端部を、上記被覆シートに包持される別の紙からなる保持シートで包持した構成とした。これにより、一度集合体を保持シートで包持しているため、植物の葉を確実に保持できるようになるとともに、瓶を傾けた際に瓶内部から液体が外部に即座に漏れることを確実に防止できるようになる。
【００１２】
そして、必要に応じ、上記挿入部の瓶の口部への挿入時に、該瓶の口部に対して該挿入部の抜け止めを行なう抜け止め具を設けた構成とした。これにより、瓶用栓が容易に瓶の口部から抜け出なくなり、瓶内の液体が外部に漏れる事態を確実に抑制できる。
【００１３】
また、必要に応じ、上記抜け止め具を、針金で構成され瓶の口部の外周に巻回される巻回部と、針金で構成され上記挿入部を貫通し両端側が上記巻回部に係止されて該挿入部を口部に対して押さえる押さえ部とで形成した構成とした。これにより、針金を用いたため、適宜にその形状を変えられ、瓶の口部の形や大きさに合わせることができる。また、針金の強度により、瓶の口部と挿入部を強固に固定することができる。
【００１４】
更に、必要に応じ、上記被覆シートを少なくとも二枚重ねて用い、少なくとも外側の被覆シートを樹脂混合シートで形成した構成とした。これにより、樹脂混合の被覆シートは、耐液性が付与されるため、また、シートを二枚以上用いるので、耐久性が向上する。
【００１５】
更にまた、上記植物の葉を杉の葉で構成した構成とした。これにより、杉の葉は、繊細な美しい素材であるため、外観が華やかで美しく見えるようになる。特に、酒瓶に使用した場合は、和紙状の被覆シートと杉の葉を用いて形成したため、神前に供える御幣を想わせるような外観となる。
【考案の効果】
【００１６】
本考案の瓶用栓によれば、植物の葉を複数用い、複数の葉を、その葉軸方向及び基端を揃えて集合させて植物の葉の集合体を形成し、この集合体の基端部を集合体の先端側が露出するようにして紙からなる被覆シートで包持したことにより、瓶の上部に植物の葉が広がり、華やかで美しい外観になる。また、植物の葉及び紙により挿入部を形成したことにより、液体は即座には通さないが気体は通すように形成でき、ある程度の通気性を有するとともに、瓶内の液体が外部に漏れることが抑制され、通気性の栓としての役割を果たすことができる。
【００１７】
また、挿入部の瓶の口部への挿入時に瓶の口部に対して挿入部の抜け止めを行なう抜け止め具を設けた場合には、瓶用栓が容易に瓶の口部から抜け出なくなり、瓶内の液体が外部に漏れる事態を確実に抑制できる。
【考案を実施するための最良の形態】
【００１８】
以下、添付図面に基づいて本考案の実施の形態に係る瓶用栓を説明する。
図１乃至図６に示す本考案の実施の形態に係る瓶用栓Ｓは、酒類を収容した瓶１の口部２の開口３に挿入される。この瓶用栓Ｓは、瓶１の口部２の開口３に挿入される挿入部Ｓａを有しており、植物の葉１０を複数用いて構成されている。
【００１９】
植物の葉１０としては、杉の葉を用いる。杉は、ヒノキ目・スギ科に分類される針葉樹である。杉の葉１０は、発酵途中の酒に呼吸をさせたり、滅菌作用を有する。この杉の葉１０を、その葉軸１１方向及び基端１２を揃えて集合させて集合体１４を形成している。このとき、瓶１の口部２は一升瓶や四合瓶などによって大きさが異なるので、口部２の大きさに合わせて適宜に集合させる杉の葉１０の本数を設定する。この状態で、基端部１３を索体２０で結束する。索体２０は、図６に示すように、針金２１にこれを軸線２２として樹脂シート２３を帯状に被覆して形成されている。このとき、索体２０により基端部１３の任意の箇所を結束する。尚、索体２０を複数本用い、複数箇所を結束するようにしてよい。
【００２０】
また、図１及び図２に示すように、集合体１４の基端部１３は、集合体１４の先端１５側が露出するようにして紙からなる被覆シート３０及び保持シート３１で包持され、この被覆シート３０で包持した部位が挿入部Ｓａとして形成されている。
この被覆シート３０と保持シート３１は、パルプ，レーヨン繊維の混合和紙で形成されている。被覆シート３０は二枚用いられ、外側被覆シート３０ａと内側被覆シート３０ｂとで構成される。基端部１３は、図３に示すように、先ず保持シート３１で被覆されている。この基端部１３は保持シート３１を介して被覆シート３０で被覆されている。
このとき、図4に示すように、外側被覆シート３０ａと、内側被覆シート３０ｂとは中央部３２を中心にして回転させて位相をずらして重ね合わせる。そして、保持シート３１で被覆された杉の葉１０の集合体１４の基端部１３を、被覆シート３０の中央部３２に垂直に当接させ、この状態で、被覆シート３０の中央部３２の外周部３４を集合体１４の先端部１５側にめくり上げるようにして包持し、挿入部Ｓａを形成する。また、被覆シート３０の外側から、上記と同様の索体２０で被覆シート３０を集合体１４に止める。
【００２１】
また、瓶用栓Ｓは、抜け止め具４０を備えている。この抜け止め具４０は、銅線４１で構成され、口部２の外周に巻回される巻回部４４と、銅線４１で構成され、挿入部Ｓａを貫通し両端４５ａ，４５ｂ側が巻回部４４に係止されて挿入部Ｓａを口部２に対して押さえる押さえ部４５とで形成される。詳しくは、この抜け止め具４０は一本の銅線４１を用いて形成される。図１または図５に示すように、先ず、銅線４１を中心部４２から折り返して、銅線４１の両端部４３を同じ位置に揃える。次に、この銅線４１を瓶１の口部２の外周から口部２に設けられた突起部４の下端５に接触させて巻回し、巻回部４４を形成する。そして、折り返し部分４６の銅線４１の間から両端部４３を通過させて、通過した所定の長さの部位を押さえ部４５として構成する。これにより、押さえ部４５の一端４５ａは折り返された折り返し部分４６に係止されることになる。そしてまた、この押さえ部４５の他端４５ｂ（両端部４３）を、挿入部Ｓａに貫通させ、挿入部Ｓａを貫通させた他端４５ｂ（両端部４３）を巻回部４４に向かうように湾曲させて、巻回部４４の任意の位置で巻きつかせて折り返し、この折り返して重なった部分にアルミ製のカシメリング４７を通してカシメ固定する。
【００２２】
このようにして形成された瓶用栓Ｓを用いて栓をするときは、先ず、被覆シート３０で被覆された集合体１４を、酒瓶１の口部２の開口３に挿入し、次に、抜け止め具４０を用いて挿入部Ｓａと瓶１の口部２を固定する。この場合、抜け止め具４０は、巻回部４４が突起部４に引っ掛るようになり、突起部４より上側に持ち上がることがなくなるため、押さえ部４５により集合体１４の挿入部Ｓａを押さえ込み、これにより、集合体１４が瓶１の口部２から抜け出さなくなる。この場合、巻回部４４と押さえ部４５が一本の銅線４１で形成できるため、固定強度が向上する。
【００２３】
この栓をした状態では、杉の葉１０が露出した状態になる。杉の葉１０は、繊細な美しい素材であるため、外観が華やかで美しく見える。また、どぶろくなどの発酵途中の酒に対して用いた場合は、酒に呼吸をさせたり、滅菌効用を持っているため、外観以外でも杉の効用を生かすことができる。更に、杉の葉１０は、酒が熟成するにつれ、緑色から濃緑色、薄茶色、濃茶色と色が変化し、熟成の目安としても用いることができる。
【００２４】
また、この集合体１４は索体２０で結束されているので、集合体１４がばらける事態が確実に防止される。また、結束させた集合体１４は、レーヨンを含む和紙状の被覆シート３０及び保持シート３１とで包持されており、被覆シート３０の外周部３４が、集合体１４の先端部１５側にめくり上げるようにして包持しているので、被覆シート３０で集合体１４を綺麗に包持できるようになるとともに、被覆シート３０がずれたり取れたりしなくなり、安定して包持できるようになる。また、被覆シート３０の外周がめくり上がって花びらのごとく瓶１の口部２の開口３から広がり、杉の葉１０と相俟って、より一層外観品質を向上させることができる。更に、被覆シート３０及び保持シート３１とで包持された集合体１４は、液体は即座には通さないが気体は通すようになり、ある程度の通気性を有するとともに、瓶１内の液体が外部に漏れることが抑制され、通気性の栓としての役割を果たすことができる。特に、このような瓶用栓Ｓを、酒瓶１に使用した場合は、和紙状の被覆シート３０と杉の葉１０を用いて形成したため、神前に供える御幣を想わせるような外観となる。
このような瓶用栓Ｓを開栓するときは、この抜け止め具４０の押さえ部４５を鋏等で切って、抜け止め具４０を外し、瓶１の口部２から挿入部Ｓａを抜いて開ける。
【００２５】
尚、上記実施の形態において、植物の葉を杉の葉で構成したが、必ずしもこれに限定されるものではなく、松の葉などでも良く、適宜変更して差支えない。
また、上記実施の形態において、栓を酒瓶に用いたが、必ずしもこれに限定されるものではなく、どのような用途の瓶でも良く、適宜変更して差支えない。
更に、上記実施の形態において、抜け止め具を銅線で構成したが、必ずしもこれに限定されるものではなく、鉄線などでも良く、適宜変更して差支えない。
【図面の簡単な説明】
【００２６】
【図１】本考案の実施形態に係る瓶用栓を瓶に挿入した状態で示す断面図である。
【図２】本考案の実施形態に係る瓶用栓を示す斜視図である。
【図３】本考案の実施形態に係る杉の葉を索体で結束した状態を保持シートとともに示す分解斜視図である。
【図４】本考案の実施形態に係る被覆シートの構成を示す斜視図である。
【図５】本考案の実施形態に係る抜け止め具を示す斜視図である。
【図６】本考案の実施形態に係る索体を示す部分斜視図である。
【図７】従来の瓶用栓の一例を示す図である。
【符号の説明】
【００２７】
Ｓ  栓
Ｓａ  挿入部
１  瓶
２  口部
３  開口
４  突起部
５  下端
１０  葉
１１  葉軸
１２  基端
１３  基端部
１４  集合体
１５  先端部
２０  索体
２１  針金
２２  軸線
２３  樹脂シート
３０  被覆シート
３０ａ  外側被覆シート
３０ｂ  内側被覆シート
３１  保持シート
３２  中央部
３４  外周部
４０  抜け止め具
４１  銅線
４２  中心部
４３  両端部
４４  巻回部
４５  押さえ部
４５ａ  一端
４５ｂ  他端
４６  折り返し部分
４７  カシメリング
【図１】
0003129468.tif 000003
【図２】
0003129468.tif 000004
【図３】
0003129468.tif 000005
【図４】
0003129468.tif 000006
【図５】
0003129468.tif 000007
【図６】
0003129468.tif 000008
【図７】
0003129468.tif 000009